(57)【特許請求の範囲】
【請求項１】
固定体及び該固定体に移動可能に支持される可動体のいずれか一方に設けられたストライカーと、他方に設けられて前記可動体の所定の移動位置にて前記ストライカーと係脱可能に係合するキャッチャーと、前記可動体の移動過程で付勢力を蓄積可能な付勢手段とを備え、前記ストライカーと前記キャッチャーとが係合した状態で前記付勢手段に蓄積された付勢力により前記可動体を引き込む引込機構において、
前記固定体及び可動体の一方に取り付けられて前記ストライカーを前記付勢手段と共に配置しているケースと、
前記固定体及び可動体の他方に取り付けられて前記キャッチャーを上下方向に移動可能に支持している保持部材と、
前記ケースに設けられたガイド溝、及び前記キャッチャーに設けられて前記ガイド溝を摺動する突起からなり、前記ストライカーと前記キャッチャーとの相対位置を規制して前記相対位置が変化したときにその変化を、前記キャッチャーを前記保持部材に対し所定寸法だけ上下動して吸収し前記突起を前記ガイド溝に嵌合可能にするガイド手段とを有していることを特徴とする引込機構。
【請求項２】
固定体及び該固定体に移動可能に支持される可動体のいずれか一方に設けられたストライカーと、他方に設けられて前記可動体の所定の移動位置にて前記ストライカーと係脱可能に係合するキャッチャーと、前記可動体の移動過程で付勢力を蓄積可能な付勢手段とを備え、前記ストライカーと前記キャッチャーとが係合した状態で前記付勢手段に蓄積された付勢力により前記可動体を引き込む引込機構において、
前記固定体に上下方向に移動可能に取り付けられて前記ストライカーを前記付勢手段と共に配置しているケースと、
前記可動体に取り付けられて前記キャッチャーを支持している保持部材と、
前記ケースに設けられたガイド溝、及び前記キャッチャーに設けられて前記ガイド溝を摺動する突起からなり、前記ストライカーと前記キャッチャーとの相対位置を規制して前記相対位置が変化したときにその変化を、前記ストライカーを前記固定体に対し前記ケースを介して所定寸法だけ上下動して吸収し前記突起を前記ガイド溝に嵌合可能にするガイド手段とを有していることを特徴とする引込機構。
【請求項３】
前記ガイド溝は、溝出入口部分を他の溝部分よりも上下間隔を大きく形成していることを特徴とする請求項１又は２に記載の引込機構。
【発明の詳細な説明】
【技術分野】
【０００１】
本発明は、固定体に対する可動体の移動操作を助ける引込機構のうち、ストライカー及びキャッチャー並びに可動体の移動過程で付勢力を蓄積する付勢手段を備え、ストライカーとキャッチャーとが係合した状態で付勢手段に蓄積された付勢力により可動体を引き込むようにした引込機構に関する。
【背景技術】
【０００２】
図１１は特許文献１に開示の引込機構を示し、（ａ）は不図示の引出体の引込位置、（ｂ）は引出位置での模式図である。符号５０は本体側壁、５５は引出体側の駆動ピン、６０は本体側壁と引出体との間に配置された傾斜部分、符号６５はばねである。本体側壁５０には、前後方向へ延びる真っ直ぐな部分５１ａ及び弓形部分５１ｂからなる案内トラック５１が設けられている。傾斜部分６０は、上解放したスロット６１及び該スロット６１の前側から延びている斜めの側壁６２を有し、ボルト６３，６３を案内トラック５１に嵌合している。ばね６５は、本体側壁に一端を係止し、他端を傾斜部分６０に係止した状態で、引出体が引込位置から引出位置へ移動される過程で付勢力を蓄積する。
【０００３】
そして、引出体が引出方向へ移動されるときは、傾斜部分６０が案内トラックの真っ直ぐな部分５１ａに沿って動かされた後、弓形部分５１ｂで前方へ傾斜され、かつ駆動ピン５５がスロット６１から斜めの側壁６２の方へ動く。これにより、引出体は、ばね６５の付勢力に抗して引出位置に係止されるとともに、後方へ押されることで駆動ピン５５を斜めの壁部６２からスロット６１に戻した後、ばね６５に蓄積された付勢力で引き込まれる。
【特許文献１】特公平５−０２３７６３号公報
【発明の開示】
【発明が解決しようとする課題】
【０００４】
上記した従来構造では、例えば、引出体が引出位置から引込方向へはほぼ全て自動で摺動されるが、その分だけ引込位置から引出方向へは強い引き操作力が必要となり使い勝手が悪くなる。また、引出体をばね６５の付勢力に抗して係止するロック機構として、駆動ピン５５を傾斜部分６０の前傾斜によりスロット６１から抜け出るようにし、斜めの側壁６２に係合するため、係合力が弱く、振動等によって係止解除される虞がある。しかも、従来構造では、引出体の積載量や収納荷重の変化により、傾斜部分６０と駆動ピン５５の相対位置のずれが発生し正常に作動しなくなるという虞もあった。
【０００５】
本発明の目的は、可動体を途中から付勢力で引き込む引込機構として、該可動体を勢いよく押し込めるときの跳ね返りを防いだり可動体の不完全な押入状態の発生を防ぐ上で好適であり、特に、係合関連部材同士の相対位置が変化しても該変化を吸収して良好な作動を保ち、それにより誤作動の発生を防いで信頼性を向上することにある。
【課題を解決するための手段】
【０００６】
上記した目的を達成するため請求項１の本発明は、固定体及び該固定体に移動可能に支持される可動体のいずれか一方に設けられたストライカーと、他方に設けられて前記可動体の所定の移動位置にて前記ストライカーと係脱可能に係合するキャッチャーと、前記可動体の移動過程で付勢力を蓄積可能な付勢手段とを備え、前記ストライカーと前記キャッチャーとが係合した状態で前記付勢手段に蓄積された付勢力により前記可動体を引き込む引込機構において、前記固定体及び可動体の一方に取り付けられて前記ストライカーを前記付勢手段と共に配置しているケースと、前記固定体及び可動体の他方に取り付けられて前記キャッチャーを上下方向に移動可能に支持している保持部材と、前記ケースに設けられたガイド溝、及び前記キャッチャーに設けられて前記ガイド溝を摺動する突起からなり、前記ストライカーと前記キャッチャーとの相対位置を規制して前記相対位置が変化したときにその変化を、前記キャッチャーを前記保持部材に対し所定寸法だけ上下動して吸収し前記突起を前記ガイド溝に嵌合可能にするガイド手段とを有していることを特徴としている。
これに対し、請求項２の発明は、上記発明と「・・・おいて」までを同じくし、前記固定体に上下方向に移動可能に取り付けられて前記ストライカーを前記付勢手段と共に配置しているケースと、前記可動体に取り付けられて前記キャッチャーを支持している保持部材と、前記ケースに設けられたガイド溝、及び前記キャッチャーに設けられて前記ガイド溝を摺動する突起からなり、前記ストライカーと前記キャッチャーとの相対位置を規制して前記相対位置が変化したときにその変化を、前記ストライカーを前記固定体に対し前記ケースを介して所定寸法だけ上下動して吸収し前記突起を前記ガイド溝に嵌合可能にするガイド手段とを有していることを特徴とする。
【０００７】
以上の本発明において、固定体は引出体用収納本体や引戸用枠本体などが含まれる。可動体は、引出体や引戸などであり、固定体に対し往復移動される関係であればよい。ストライカー及びキャッチャーは、固定体と可動体とに対応して設けられて、固定体に対する可動体の所定の移動位置（例えば、可動体が引出体であれば、該引出体の押入途中）で係合して、付勢手段に蓄積された付勢力により可動体を引込可能にする関係であればよい。具体例としては、特許文献１の構造であれば駆動ピンがキャッチャーに相当し、傾斜部分がストライカーに相当する。
【０００８】
以上の各発明は次のように具体化されることがより好ましい。すなわち、前記ガイド溝は、溝出入口部分を他の溝部分よりも上下間隔を大きく形成している構成である（請求項３）。
【発明の効果】
【０００９】
請求項１の発明では、例えば、可動体が引出体であれば該引出体に収納される物品荷重の変化等に起因して、ストライカーとキャッチャーとの相対的な位置を変位ないしは変化したとしても、ストライカーとキャッチャーとがガイド手段の変化吸収作用により正規位置に修正されて係合可能となる。これにより、引込機構としては、相対的な位置ずれに起因した作動不良を確実に阻止でき、それにより品質及び信頼性を向上できる。
【００１０】
同時に、ストライカーが付勢手段と共にケースに配設されてユニット化され、キャッチャーが保持部材に支持されてユニット化されているため、何れもが取扱性及び固定体や可動体への取付性等に優れている。また、キャッチャーを保持部材に対し所定寸法だけ移動可能に支持しているため、該許容された移動範囲内で位置を変更してストライカーに対して最適位置に調整できる。また、キャッチャーが固定体側に付設されたケースのガイド溝に対し突起を嵌合した状態で摺動されるためストライカーに対する安定した係合を維持できる。
【００１１】
これに対し、請求項２の発明では、請求項１のキャッチャーを保持部材に対し所定寸法だけ移動可能に支持している構成に代えて、ストライカーが固定体に対しケースを介して所定寸法だけ移動可能に取り付けられるため、該許容された移動範囲内で位置を変更してキャッチャーに対して最適位置に調整できる。
【００１２】
請求項３の発明では、形態の例で述べると、突起がガイド溝のうち上下間隔を大きくした幅広の溝出入口部分で受け入れられて幅細の溝部分に移行されるためキャッチャーとストライカーとの溝幅方向の上下位置が変化していても効率よく修正できる。
【発明を実施するための最良の形態】
【００１３】
本発明の形態例を図面を参照しながら説明する。図１はストライカー組立体とキャッチャー組立体との関係を示し、図２〜図４はストライカー組立体の構成及び作動特徴を示し、図５はキャッチャー組立体の構成及び作動特徴を示し、図６〜図９は使用例を示し、図１０は変形例を示している。なお、各図では作図上一部を省略している。以下の説明では、機構特徴、ストライカー組立体、キャッチャー組立体、使用例、作動、変形例の順に詳述する。
【００１４】
（機構特徴）形態の引込機構は、例えば、用途が引出体８を収納本体９に出し入れる場合であれば、収納本体９及び該収納本体９に移動可能に支持される引出体８のいずれか一方に設けられるストライカー組立体Ａを構成しているストライカー３３と、他方に設けられて引出体８の所定の移動位置にてストライカー３３と係脱可能に係合するキャッチャー組立体Ｂを構成しているキャッチャー５と、引出体８の移動過程で付勢力を蓄積可能な付勢手段であるコイルばねＳとを備え、ストライカー３３とキャッチャー５とが係合した状態でコイルばねＳに蓄積された付勢力により引出体８を引き込むものである。工夫点は、特にストライカー３５とキャッチャー５との相対位置を規制するガイド手段７を有し、ストライカー３５とキャッチャー５とが引出体８の積載荷重の大小などで前記相対位置を変化したときガイド手段７によりその変化を吸収して係合可能となるようにしたものである。
【００１５】
（ストライカー組立体）この組立体Ａは、図１〜図４に示されるように、概略矩形状のケース１と、ケース１に摺動可能に配置されているスライダー２と、スライダー２に連結されているアーム３と、上記したコイルばねＳと、スライダー２及びアーム３の移動を制動する制動手段６とを備えている。このうち、制動手段６は、ピストン式ダンパー３４及び回転式ダンパー３７で構成されている。ピストン式ダンパー３４は、シリンダー３５及び該シリンダーに緩やかに出没されるピストンロッド３６を有し、ピストンロッド３６がシリンダー３５に対し緩やかに駆動する構成である。回転式ダンパー３７は、ケース３８と、該ケース内の作動油等で制動される軸及び該軸に装着されたギア３９を有している構成である。但し、制動手段６は省略したり、ダンパー３４，３５の一方だけ使用したり、逆にダンパー３７を複数用いることも可能である。
【００１６】
ケース１は、前後方向に細長くなっており、内空間が正面１０及び背面１１と、上下面１２，１３と、一端面１４とで概略区画されており、他端面を開口している。正面１０には、ピストン式ダンパーのシリンダー３５を係合規制する支持溝１０ａと、ダンパー用取付孔１０ｃと、アーム３の対応部と嵌合するガイド孔１５とが設けられている。取付孔１０ｃには、ダンパー３７がそのケース３８を係合固定した状態に取り付けられる。ガイド孔１５は、一端面１４の手前から水平に延びる水平孔１５ａ及び該水平孔の端部から下へ折れ曲がった係止孔１５ｂを有している。正面１０及び背面１１には、スライダー２をガイドするガイド孔１０ｂ，１１ｂが対向して設けられている。背面１１には、ガイド孔１１ｂ以外に、凹状格納部１１ａと、ガイド孔１５と対向する箇所を欠如した略矩形の開口部１１ｃと、開口部１１ｃの下内面に突出したばね用掛止部１８とが設けられている。格納部１１ａには、ダンパー３４がそのシリンダー３５を係合固定した状態に取り付けられる。
【００１７】
上面１２には、略中間から一端面１４側に向けて延びている断面コ形状のガイド溝１６が設けられている。このガイド溝１６は、上面１２に立設された縦壁１７ａと、該縦壁１７ａに突設されて上面１２と対向している横壁１７ｂと、一端面１４側あって横壁１７ｂ及び上面１２の各端部を接続している立壁１７ｃとで区画されている。また、溝出入口部分１６ａは、それよりも奥側の溝部分１６ｂよりも幅広つまり上下間隔が大きく形成されている。更に、溝出入口部分１６ａにおいて、上面１２及び横壁１７ｂの対向部は溝部分１６ｂに近づくほど上下間隔を狭くなるテーパー面となっている。符号１９は上面１２、下面１３、横壁１７ｂに突設された孔付きの取付部である。
【００１８】
スライダー２は、全体が両側面２０及び上下面２１，２２並びに対向した端面２３で概略区画される細長い板状をなし、両側面２０にそれぞれ突設されてケース側ガイド孔１０ｂ，１１ｂに嵌合する複数の凸部２４と、一方の端面２３から他方の途中に向けて延設されて上記ピストンロッド３６を挿通する挿通孔２５と、両側面２０に開設されて挿通孔２５の先端を横切っている係止用小開口２６と、上面２１にあって一方端面２３より他方の少し手前まで連続して設けられたラック２７及びラック２７と端面２３の間に立設された略Ｕ形支持部２８とを有している。
【００１９】
アーム３は、一端部３０がスライダー側支持部２８に回動自在に枢支され、他端部３２がガイド孔１５に嵌合される軸部３１ｂ（図１を参照）を突設している。すなわち、一端部３０は、略コ形をなし、該コ形の両片部間に設けられた連結軸３１ａを有し、スライダー側の支持部２８に対し該連結軸３１ａをＵ形内に嵌合した状態で連結される。他端部３２は、側面に突出した前記軸部３１ｂと、軸部３１ｂの先端に一回り径大でガイド孔１５から抜けないようにする鍔部３２ａと、鍔部３２ａの外面に突出したストライカー３３とを同軸線上に形成している。また、一端部３０の手前には、ばね用掛止部３ａが下向きに突設されている。
【００２０】
以上のスライダー２及びアーム３並びにコイルばねＳは、次のような手順にてケース１に組み込まれる。まず、スライダー２は、ケース１に対して一端面１４と対向している他端面の開口からケース内に入れられるとともに、両側の凸部２４がガイド孔１０ｂ，１１ｂに嵌合されることで該ガイド孔に沿って水平に摺動される。この場合、格納部１１ａ内に装着されているダンパー側ピストンロッド３６は、スライダー側挿入孔２５に挿入され、かつ、小開口２６に突出している先端にキャップ状の止め具３６ａが装着されることでスライダー２に連結される。また、取付孔１０ｃに装着されているダンパー３７は、ギア３９がスライダー側のラック２７と噛み合わせられる。このため、スライダー２は、ピストン式ダンパー３４及び回転式ダンパー３７により制動されながら摺動されることになる。
【００２１】
また、アーム３は、図４のごとく一端部３０の連結軸３１ａがスライダー側の支持部２８に嵌合され、かつ、他端部３２の軸部３１ｂがガイド孔１５に挿通された状態でケース１内に組み込まれる。その際、他端部３２は、径大の鍔部３２ａが水平孔１５ａの端部に少し大きく設けられた逃げ孔を利用してガイド孔１５に挿通されることで、ケース１に対し抜け止め状態に配置される。この状態ではストライカー３３がガイド孔１５から水平に突出されている。次に、コイルばねＳは、一端がケース側掛止部１８に係止され、他端がアーム側掛止部３ａにが係止される。これにより、ストライカー組立体Ａが完成される。
【００２２】
（キャッチャー組立体）この組立体Ｂは、図１及び図５に示されるように、概略板状の保持部材４と、保持部材４に所定上下寸法だけ移動可能に支持されたキャッチャー５とを備えている。このうち、保持部材４は、背面側に設けられた上下に長い矩形の凹部４０と、凹部４０内の上下部及び左右部を除いて表裏貫通した矩形の開口４１と、凹部４０内の上一側部分を欠如し凹部４０内から外へ通じている逃げ部４２と、複数箇所に設けられた取付孔４３とを有している。
【００２３】
キャッチャー５は、凹部４０に対応した板部５０と、板部５０の表面側に突設されて開口４１から正面側に突出配置される上保持部５１及び下係合部５２と、上保持部５１に上下動可能に組み込まれた爪部材４５とを有している。板部５０は、一方側面の上側に上記したガイド溝１６に嵌合する突起５３を形成しており、凹部４０内に上下方向へ移動可能に配置されたとき、突起５３も逃げ部４２から外へ突出した状態で上下動される。上保持部５１及び下係合部５２は、開口４１から板部５０の正面側へ上下動可能に突出された状態で、上保持部５１の両外側面に設けられた爪５５を介して抜け止めされる。下係合部５２は、下に行くほど低くなるテーパーに形成されて、上記係止状態のストライカー３３に当たったとき、キャッチャー組立体Ｂの前進移動によってストライカー３３を前記テーパー作用により係止孔１５ｂより水平孔１５ａに逃がす。
【００２４】
これに対し、上保持部５１は、突出先端側が下部及び端面の一部５４を開口した空洞部となっている。そして、該空洞部には、両内側面に爪部材４５を案内するガイドリブ５６が対向して設けられている。すなわち、爪部材４５は、図５（ｂ），（ｄ）のごとく、先端が傾斜面に形成されるとともに、両側に設けられた縦溝４５ａと、上側に突設された弾性片部４６を有している。そして、爪部材４５は、各縦溝４５ａを対応するガイドリブ５６に嵌合し、かつ、片部４６を前記空洞部の内上面に当接した状態に配置されることにより、通常は片部４６を介して同図の突出状態に付勢されている。上向きの応力を受けると、片部４６の弾性力に抗して没方向へ一旦逃げた後、応力がなくなると再び突出状態となる。
【００２５】
（使用例）図６（及び図１中、右上に示された部分）は以上の引込機構を引出体８の引き込みに適用した一例である。この配置では、ストライカー組立体Ａが収納本体９の内側面に取り付けられるとともに、キャッチャー組立体Ｂが引出体８の後端面８ｂに取り付けられている。この場合、ストライカー組立体Ａは、上記したケース側取付部１９及びねじ等を使用して固着される。キャッチャー組立体Ｂは、上記した取付孔４３及びねじ等を使用して固着されるが、その際、突起５３がストライカー組立体Ａのガイド溝１６に対応して、引出体８の側面８ａから突出するよう位置決めされる。なお、他の配置としては、ストライカー組立体Ａを引出体８側に取り付け、それに対応してキャッチャー組立体Ｂを収納本体９側に取り付けることも可能である。また、ストライカー組立体Ａ及びキャッチャー組立体Ｂは、可動体を２組使用して引き込むこともあるが、そのような場合、引出体８であればもう一方は上記形態に対し左右対称形となる。
【００２６】
（作動）以上の引込機構の作動を図３と図４、及び図７〜図９を参照しながら詳述する。なお、図７〜図９では、図６の使用例を想定して主な作動を示したものであり、各部材の関係を明らかにするため簡略化したり模式化されている。
【００２７】
（１）まず、ストライカー組立体Ａの作動を明らかにする。この組立体Ａは、コイルばねＳが図３のごとく付勢力を蓄積した付勢力蓄積状態と、コイルばねＳが図４のごとく付勢力を解放した付勢力解放状態との間で切り換えられる。この引込機構では、付勢力蓄積状態において、コイルばねＳはアーム３の摺動を介して付勢力を最大まで蓄積している。アーム３は軸部３１ｂを係止孔１５ｂに係止している。ダンパー３４はピストンロッド３６がシリンダー３５から大きく引き出されている。そして、この付勢力蓄積状態から、軸部３１ｂが係止孔１５ｂから係止解除されて水平孔１５ａに逃がされると、ストライカー３３、アーム３、スライダー２がコイルばねＳの付勢力で一体として水平孔１５ａに沿って摺動される。この係止解除は、後述するようにストライカー３３に対するキャッチャー組立体Ｂ（のキャッチャー５）の係合を伴って行われる。係止解除されると、キャッチャー組立体Ｂは、ストライカー３３とキャッチャー５との係合状態を保ってアーム３と連動して摺動、つまり上記各ダンパー３４，３７で制動されながら自動的に引き込まれることになる。この引込機構では、付勢力解放状態において、コイルばねＳはアーム３の摺動を介して付勢力を解放ないしは付勢力を最小にしている。アーム３は軸部３１ｂを水平孔１５ａの適宜な箇所に配置している。ダンパー３４はピストンロッド３６をシリンダー３５に最も没した状態となっている。
【００２８】
（２）図７は、キャッチャー組立体Ｂがストライカー組立体Ａに係合する前段階で、互いの位置関係をガイド手段７により矯正する変化吸収作動を示している。これは、上記図６の使用例だと、例えば、引出体８の積載量や収納荷重の変化により、キャッチャー組立体Ｂのキャッチャー５とストライカー組立体Ａのストライカー３３との相対位置が変化し、キャッチャー５とストライカー３３とが正常に係合されなくという問題をガイド手段７により解消するものである。すなわち、このガイド手段７は、図７（ｂ）のごとくキャッチャー組立体Ｂがストライカー組立体Ａに接近されると、（ア）キャッチャー側の突起５３がケース１のガイド溝１６に対し嵌合した状態で摺動されることからキャッチャー５（下係合部５２と爪部材４５）とストライカー３３とが正確に位置出しされること、（イ）突起５３がガイド溝１６のうち幅広の溝出入口部分１６ａで受け入れられて幅細の溝部分１６ｂにセンタリングされながら移行されることからキャッチャー５（下係合部５２と爪部材４５）とストライカー３３との溝幅方向の位置（つまり上下位置）が変化していても効率よく修正されること、（ウ）キャッチャー５（下係合部５２と爪部材４５）が保持部材５に対し所定寸法だけ移動可能に支持されていることから該許容された移動範囲内で位置を変更してストライカー３３に対して最適位置に調整されること、それらの作動により前記相対位置の変化を効率よく確実に吸収し誤作動をなくする。
【００２９】
（３）図８は、キャッチャー組立体Ｂがストライカー組立体Ａに係合して付勢力により引き込まれるときの引出体等の可動体の引込作動を示している。すなわち、この引込機構では、キャッチャー組立体Ｂが図８（ａ）のごとくストライカー組立体Ａに接近されると、まず、キャッチャー５の爪部材４５が上記した片部４６の付勢に抗して上へ動いてストライカー３３を通過し、同時にストライカー３３が下係合部５２（のテーパー形状）により上又は斜め上方向へ押されることで係止孔１５ｂから水平孔１５ｂに逃がされて係止解除される。この係止解除により、キャッチャー組立体Ｂは、図８（ｂ）のごとくキャッチャー５（下係合部５２と爪部材４５）とストライカー３３との係合を保って、アーム３及びスライダー２がコイルばねＳの付勢力により摺動され、その摺動に連動して引き込まれることになる。これは、上記図６の使用例だと、引出体８が押し入れられる途中からコイルばねＳに蓄積された付勢力により自動的に最終の押入位置まで（制動手段６により制動されながら）引き込まれるようにし、それにより引出体８を勢いよく押し込めるときの跳ね返りを防いだり引出体８の不完全な押入状態の発生を防ぐ。
【００３０】
（４）図９は、上記した引出体８等の可動体が図８（ｂ）の引き込まれた状態から再び引き出し方向へ移動されて前記係合を解除するときの作動を示している。すなわち、この引込機構では、キャッチャー組立体Ｂが再び図９（ａ）のごとくストライカー組立体Ａから離れる方向へ移動される過程において、まず、ストライカー３３がキャッチャー５（下係合部５２と爪部材４５）と係合した状態で、水平孔１５ｂから一段低くなった係止孔１５ａ上にくると、爪部材４５で押されて係止孔１５ａに入って係止され、その後、キャッチャー組立体Ｂは図９（ｂ）のごとくキャッチャー５（下係合部５２と爪部材４５）がストライカー３３との係合を解除し、単独で操作方向へ移動されることになる。また、この引出機構では、ストライカー３３がキャッチャー５（下係合部５２と爪部材４５）と係合した状態で、キャッチャー組立体Ｂが引出体８等の引き出し操作により図８（ｂ）から図９（ａ）の箇所まで移動されると、ストライカー３３つまりアーム３及びスライダー２も連動して同方向へ移動されるためコイルばねＳに付勢力を蓄積することになる。この付勢力蓄積は、キャッチャー組立体Ｂのキャッチャー５がストライカー３３と係合解除されるまでである。
【００３１】
（変形例）図１０は上記引込機構の変形例を示している。この変形例は、ストライカー３３が収納本体９等の固定体に対しケース１を介して所定寸法だけ移動可能に取り付けるようにした構成である。この説明では、上記形態と同一部材及び作用的に同じ部位に同じ符号を付し、重複した記載を極力省く。この引出機構は、上記形態に対してストライカー組立体Ａを構成しているケース１の取付部を変更したものである。この取付部１９０は、ケース１の複数箇所に設けられており、それらはねじ等の止め具Ｍを差し込む孔１９０ａが幅より上下寸法を大きくした長孔に形成されている。そして、この引出機構では、ストライカー組立体Ａが収納本体９の内側面に対し上下に長い孔１９０ａに止め具Ｍを差し込んで取り付けられることで、ストライカー３３がケース１を介して孔１９０ａの長さに比例した寸法だけ移動可能になる。これにより、上記したガイド手段７としては、仮に、キャッチャー組立体Ｂのキャッチャー５を簡略化して保持部材４に一体に形成しても、ストライカー３３がケース１を介して前記許容された移動範囲内で位置を変更してキャッチャー５に対して最適位置に調整できる。
【００３２】
なお、本発明の引込機構は、請求項１で特定される構成を実質的に備えておればよく、細部は必要に応じて種々変更したり展開可能なものである。
【図面の簡単な説明】
【００３３】
【図１】発明形態の引込機構を構成しているストライカー組立体とキャッチャー組立体との関係を示す概略斜視図である。
【図２】上記ストライカー組立体の構成部材を示す概略分解図である。
【図３】上記ストライカー組立体を付勢力蓄積状態で示し、（ａ）は上面図、（ｂ）は正面図、（ｃ）は背面図である。
【図４】上記ストライカー組立体を付勢力解放状態で示し、（ａ）は上面図、（ｂ）は正面図、（ｃ）は背面図である。
【図５】上記キャッチャー組立体を示し、（ａ）は上面図、（ｂ）は正面図、（ｃ）は背面図、（ｄ）は右側面図、（ｅ）は左側面図である。
【図６】ストライカー組立体とキャッチャー組立体との配置例を示し、（ａ）は上から見た模式図、（ｂ）は（ａ）の状態を側面から見た模式図である。
【図７】上記引込機構のガイド作動を示し、（ａ）はキャッチャー組立体とストライカー組立体との関係を示す模式図、（ｂ）はガイド手段の作動を示す模式図である。
【図８】上記引込機構の引き込みを示し、（ａ）は係合時の状態を示す模式図、（ｂ）は引き込み時の状態を示す模式図である。
【図９】上記引込機構の付勢力蓄積を示し、（ａ）は付勢力蓄積完了時の状態を示す模式図、（ｂ）は係合解除後の状態を示す模式図である。
【図１０】（ａ）と（ｂ）は上記引込機構の変形例を図６に対応して示す図である。
【図１１】特許文献１の引込機構を説明するための参考図である。
【符号の説明】
【００３４】
Ａ…ストライカー組立体
Ｂ…キャッチャー組立体
１…ケース（１０は正面、１１は背面、１２と１３は上下面）
２…スライダー（２０は側面、２１と２２は上下面、２３は端面、２４は凸部）
３…アーム（３０は一端部、３２は他端部、３１ａは連結軸、３１ｂは軸部）
４…保持部材（４０は凹部、４１は開口）
５…キャッチャー（５０は板部、５１は上保持部、５２は下保持部、４５は爪部材）
６…制動手段（６０はピストン式ダンパー、６５は回転式ダンパー）
７…ガイド手段
８…引出体（可動体）
９…収納本体（固定体）
１６…ガイド溝（１６ａは溝出入口部、１６ｂは他の溝部分）
１５…ガイド孔（１５ａは水平孔、係止孔１５ｂ）
３３…ストライカー
５３…突起
Ｓ…コイルばね（付勢手段）
Ｍ…止め具
【図１】
0005074214.tif 000002
【図２】
0005074214.tif 000003
【図３】
0005074214.tif 000004
【図４】
0005074214.tif 000005
【図５】
0005074214.tif 000006
【図６】
0005074214.tif 000007
【図７】
0005074214.tif 000008
【図８】
0005074214.tif 000009
【図９】
0005074214.tif 000010
【図１０】
0005074214.tif 000011
【図１１】
0005074214.tif 000012